(57)【要約】【課題】複数の端末、例えば画像形成装置を、電子メールを利用した技術を用いて遠隔にて管理することを簡便にする。【解決手段】前記電子メールシステムの一実施態様は、インターネット３０と、インターネット３０に接続された複数の端末１０、携帯端末２２とを有する電子メールシステムにおいて、前記各端末は、自己の電子メールアドレスと、自己を特定するための端末識別データとを有するとともに、各端末から電子メールを送信する際に、当該送信元となる端末に対応する端末識別データを、当該電子メールのいずれかの領域に付与する電子メール処理手段としてのＣＰＵ１４を備えるものである。【選択図】　図１
2004007207.tif 000002
【特許請求の範囲】
【請求項１】
画像形成のための原稿を読み込む原稿読込手段と、
読み込んだ画像データに基づいて画像処理を行う画像形成手段と、
所定のネットワークシステムを介して電子メールサーバと通信を行う送受信手段と、
前記電子メールサーバから電子メールを受信するための電子メール受信要求を所定の時間間隔で行うように制御する電子メール受信要求手段と、
前記電子メールサーバから受信した電子メールを解析し、実行処理する電子メール処理手段と、
前記所定の時間経過後で、前記電子メールサーバに対し前記電子メール受信要求を行う前に、前記画像処理が行われているか否かを判別する画像処理判別手段と、
該画像処理判別手段によって前記画像処理が行われていると判別された場合に、前記電子メール受信要求を行わないように制御する第一制御手段と
を有することを特徴とするディジタル複写機。
【請求項２】
前記画像処理判別手段によって前記画像処理が行われていると判別された場合に、
前記第一制御手段は、前記画像処理が行われている間は前記電子メール受信要求を行わないように制御し、かつ、前記画像処理が終了した後に前記電子メール受信要求を行うように制御する
ことを特徴とする請求項１に記載のディジタル複写機。
【請求項３】
前記画像処理判別手段によって前記画像処理が行われていると判別された場合に、
前記第一制御手段は、前記電子メール受信要求を行わないように制御し、
前記電子メール受信要求手段は、前記所定の時間間隔の間隔を変更して、該変更後の時間経過後に前記電子メール受信要求を行うように制御し、かつ、前記電子メールサーバに対し前記電子メール受信要求が行われた後に、前記変更した時間間隔を変更前の時間間隔に再変更する
ことを特徴とする請求項１に記載のディジタル複写機。
【請求項４】
画像形成のための原稿を読み込む原稿読込手段と、
読み込んだ画像データに基づいて画像処理を行う画像形成手段と、
所定のネットワークシステムを介して電子メールサーバと通信を行う送受信手段と、
前記電子メールサーバから電子メールを受信するための電子メール受信要求を所定の時間間隔で行うように制御する電子メール受信要求手段と、
前記電子メールサーバから受信した電子メールを解析し、実行処理する電子メール処理手段と、
前記所定の時間経過後で、前記電子メールサーバに対し前記電子メール受信要求を行う前に、前記画像処理が行われているか否かを判別する画像処理判別手段と、
該画像処理判別手段によって前記画像処理が行われていると判別された場合に、前記電子メール処理手段に、電子メールの解析、実行処理を行わせないように制御する第二制御手段と、
前記画像処理判別手段によって前記画像処理が行われていると判別された場合に、該判別をしてから所定時間経過後に、再度前記画像処理判別手段に前記画像処理が行われているか否かの判別を行わせる第三制御手段と
を有することを特徴とするディジタル複写機。
【請求項５】
前記電子メール受信要求手段は、所定の時刻になるとともに前記所定の時間間隔の間隔を変更し、該時間間隔で前記電子メール受信要求を行うように制御する
ことを特徴とする請求項１から４のいずれかに記載のディジタル複写機。
【請求項６】
前記電子メールサーバから電子メールを受信した時刻を履歴情報として記憶する記憶手段を有し、
前記電子メール受信要求手段は、前記履歴情報に基づいて、受信頻度の高い時間帯と受信頻度の低い時間帯とで前記所定の時間間隔の間隔を変更し、該時間間隔で前記電子メール受信要求を行うように制御する
ことを特徴とする請求項５に記載のディジタル複写機。
【発明の詳細な説明】
【０００１】
【発明の属する技術分野】
本発明は、ディジタル複写機に関し、より詳しくは、メールの受信または受信したメールの処理によって生じ、他のジョブの処理に影響を及ぼす負荷を軽減するディジタル複写機に関する。
【０００２】
【従来の技術】
近年、ディジタル複写機は、ネットワークと接続された電子メールサーバとの間で通信を行うことにより、ネットワークを介して外部装置との間で電子メールを送受信することが可能となっている。また、ディジタル複写機の設定を変更するなどの場合には、電子メールを利用して、当該ディジタル複写機の管理者であるサービスマンがディジタル複写機を遠隔操作することも可能である。
【０００３】
たとえば、電子メールを利用した遠隔操作は、まず、サービスマンが遠隔操作用の電子メールをディジタル複写機宛に送り、そして、ディジタル複写機が該電子メールを受信し、受信した電子メールを解析し、実行処理することにより、行われている。しかしながら、サービスマンが電子メールを送っても、ディジタル複写機側で該電子メールを受信しなければ、遠隔操作は実行されない。
【０００４】
そこで、遠隔操作を可能にし、また他の電子メールを受信するために、ディジタル複写機は、一定時間間隔で電子メールサーバにアクセスし、ディジタル複写機宛の電子メールがあるか否かを確認している。
【０００５】
【発明が解決しようとする課題】
ところで、遠隔操作などのための電子メールの受信動作は特にディジタル複写機の複写動作に比べれば即時性を要求されるものではない。
しかしながら、ディジタル複写機が一定時間間隔で電子メールサーバにアクセスして電子メール受信要求を行おうとする場合、この電子メール受信要求が即座に処理されるため、たとえばディジタル複写機の複写動作中に、一定時間間隔の経過により電子メール受信要求が行われると、複写動作と並行して電子メール受信要求動作を行うこととなり、ディジタル複写機の処理能力が複写処理とメール受信処理とに割かれ、複写動作処理が遅延する状態が生じる可能性がある。
【０００６】
すなわち、ディジタル複写機が電子メールの受信要求をすることが、たとえば複写機能による動作処理など、即時性が要求されるディジタル複写機の処理に支障を来たす要因となり得る。
また、電子メール受信要求により、ディジタル複写機が遠隔操作用の電子メールを受信した場合についても、ディジタル複写機は電子メールを受信した後、引き続きこの電子メールを解析し、実行処理するため、電子メールの受信による場合と同様、このように電子メールを解析し、実行処理することが、即時性が要求されるディジタル複写機の処理に支障を来たす要因となり得る。
【０００７】
そこで、本発明は上述した実情に鑑みてなされたものであり、メールの受信または受信したメールの解析および実行処理によって生じ、他のジョブの処理に影響を及ぼし得る負荷を軽減するディジタル複写機を提供することを目的とする。
【０００８】
【課題を解決するための手段】
本発明に係るディジタル複写機は、
画像形成のための原稿を読み込む原稿読込手段と、
読み込んだ画像データに基づいて画像処理を行う画像形成手段と、
所定のネットワークシステムを介して電子メールサーバと通信を行う送受信手段と、
前記電子メールサーバから電子メールを受信するための電子メール受信要求を所定の時間間隔で行うように制御する電子メール受信要求手段と、
前記電子メールサーバから受信した電子メールを解析し、実行処理する電子メール処理手段と、
前記所定の時間経過後で、前記電子メールサーバに対し前記電子メール受信要求を行う前に、前記画像処理が行われているか否かを判別する画像処理判別手段と、
該画像処理判別手段によって前記画像処理が行われていると判別された場合に、前記電子メール受信要求を行わないように制御する第一制御手段と
を有することを特徴とする。
【０００９】
前記画像処理判別手段によって前記画像処理が行われていると判別された場合に、
前記第一制御手段は、前記画像処理が行われている間は前記電子メール受信要求を行わないように制御し、かつ、前記画像処理が終了した後に前記電子メール受信要求を行うように制御することが好ましい。
【００１０】
前記画像処理判別手段によって前記画像処理が行われていると判別された場合に、
前記第一制御手段は、前記電子メール受信要求を行わないように制御し、
前記電子メール受信要求手段は、前記所定の時間間隔の間隔を変更して、該変更後の時間経過後に前記電子メール受信要求を行うように制御し、かつ、前記電子メールサーバに対し前記電子メール受信要求が行われた後に、前記変更した時間間隔を変更前の時間間隔に再変更することが好ましい。
【００１１】
また、本発明に係るディジタル複写機は、
画像形成のための原稿を読み込む原稿読込手段と、
読み込んだ画像デデータに基づいて画像処理を行う画像形成手段と、
所定のネットワークシステムを介して電子メールサーバと通信を行う送受信手段と、
前記電子メールサーバから電子メールを受信するための電子メール受信要求を所定の時間間隔で行うように制御する電子メール受信要求手段と、
前記電子メールサーバから受信した電子メールを解析し、実行処理する電子メール処理手段と、
前記所定の時間経過後で、前記電子メールサーバに対し前記電子メール受信要求を行う前に、前記画像処理が行われているか否かを判別する画像処理判別手段と、
該画像処理判別手段によって前記画像処理が行われていると判別された場合に、前記電子メール処理手段に、電子メールの解析、実行処理を行わせないように制御する第二制御手段と、
前記画像処理判別手段によって前記画像処理が行われていると判別された場合に、該判別をしてから所定時間経過後に、再度前記画像処理判別手段に前記画像処理が行われているか否かの判別を行わせる第三制御手段と
を有することを特徴とする。
【００１２】
また、前記電子メール受信要求手段は、所定の時刻になるとともに前記所定の時間間隔の間隔を変更し、該時間間隔で前記電子メール受信要求を行うように制御することが好ましい。
さらに、前記電子メールサーバから電子メールを受信した時刻を履歴情報として記憶する記憶手段を有し、
前記電子メール受信要求手段は、前記履歴情報に基づいて、受信頻度の高い時間帯と受信頻度の低い時間帯とで前記所定の時間間隔の間隔を変更し、該時間間隔で前記電子メール受信要求を行うように制御することが好ましい。
【００１３】
【発明の実施の形態】
以下、本発明に係るディジタル複写機の実施態様について、図面を参照しながら詳細に説明する。
図１は、本発明に係るディジタル複写機の一実施態様を示すブロック図であり、符号１は前記ディジタル複写機である。
【００１４】
図１に示したように、ディジタル複写機１には、
画像形成のための原稿を読み込む原稿読込手段としての原稿読込部２０と、
読み込んだ画像データに基づいて画像処理を行う画像形成手段としての画像形成部３０と、
所定のネットワークシステムを介して電子メールサーバ３と通信を行う送受信手段としての送受信部５０と、
前記電子メールサーバ３から電子メールを受信するための電子メール受信要求を所定の時間間隔で行うように制御する電子メール受信要求手段としての電子メール受信要求部６０と、
前記所定の時間経過後で、前記電子メールサーバに対し前記電子メール受信要求を行う前に、前記画像処理が行われているか否かを判別する画像処理判別手段としての画像処理判別部７０と、
前記電子メールサーバから受信した電子メールを解析し、実行処理する電子メール処理手段としてのデータ処理部１０と
が備えられている。
【００１５】
前記データ処理部１０は、さらに、前記画像処理判別部７０によって前記画像処理が行われていると判別された場合に、前記電子メール受信要求を行わないように制御する第一制御手段としての動作を行い、あるいは、
前記画像処理判別部７０によって前記画像処理が行われていると判別された場合に、前記電子メール処理手段に、電子メールの解析、実行処理を行わせないように制御する第二制御手段としての動作と、前記画像処理判別部７０によって前記画像処理が行われていると判別された場合に、該判別をしてから所定時間経過後に、再度前記画像処理判別部７０に前記画像処理が行われているか否かの判別を行わせる第三制御手段としての動作を行う。
【００１６】
前記ディジタル複写機１には、必要に応じて、前記電子メールサーバ３から電子メールを受信した時刻を履歴情報として記憶する記憶手段としての記憶部８０が備えられている。
また、前記データ処理部１０は、必要に応じて、前記画像処理判別部７０によって前記画像処理が行われていると判別された場合に、前記第一制御手段としての動作として、前記画像処理が行われている間は前記電子メール受信要求を行わないように制御し、かつ、前記画像処理が終了した後に前記電子メール受信要求を行うように制御する。
【００１７】
また、前記データ処理部１０は、必要に応じて、前記画像処理判別部７０によって前記画像処理が行われていると判別された場合に、前記第一制御手段としての動作として、前記電子メール受信要求を行わないように制御し、前記電子メール受信要求部６０は、前記所定の時間間隔の間隔を変更して、該変更後の時間経過後に前記電子メール受信要求を行うように制御し、かつ、前記電子メールサーバ３に対し前記電子メール受信要求が行われた後に、前記変更した時間間隔を変更前の時間間隔に再変更するようにする。
【００１８】
また、前記電子メール受信要求部６０は、必要に応じて、所定の時刻になるとともに前記所定の時間間隔の間隔を変更し、該時間間隔で前記電子メール受信要求を行うように制御する。
また、前記電子メール受信要求部６０は、必要に応じて、前記履歴情報に基づいて、受信頻度の高い時間帯と受信頻度の低い時間帯とで前記所定の時間間隔の間隔を変更し、該時間間隔で前記電子メール受信要求を行うように制御する。
【００１９】
原稿読込部２０は、後述する操作入力部９０の操作により、画像形成のための原稿を読み込むものであり、具体的にはたとえばスキャナ機能を実現する構成部分を挙げることができる。
画像形成部３０は、読み込んだ画像データに基づいて画像処理（画像形成）を行うものであり、たとえばプリンター機能を実現する構成部分が挙げられる。これにより、紙媒体への画像処理が可能となる。
【００２０】
送受信部５０は、所定のネットワークシステムを介して電子メールサーバ３と通信を行うことで、該電子メールサーバ３を介して所定の外部装置５との間で電子メールの送受信を行うものであり、外部装置５で処理された電子メールを受信して、受信した電子メールをディジタル複写機１内で処理可能なデータに復号化するインタフェースである。送受信部５０は、データ処理部１０から送られた電子メールを電子メールサーバ３に送信し、電子メールサーバ３から受信した電子メールや後述する回答をデータ処理部１０に送る。
【００２１】
送受信部５０が電子メールサーバ３と通信を行う前記所定の通信回線としてはたとえば、ＬＡＮ（ｌｏｃａｌ　ａｒｅａ　ｎｅｔｗｏｒｋ）など、電子メールの送受信が可能であるネットワーク網が挙げられ、また接続は有線であってもよいし、無線であってもよい。なお、前記外部装置５としては、たとえば電子メールの送受信が可能である装置が挙げられ、たとえば携帯端末やコンピュータなどが挙げられる。
【００２２】
画像処理判別部７０は、前記所定の時間経過後で、前記電子メールサーバ３に対し電子メール受信要求を行う前に、画像形成部３０にて画像処理が行われているか否かを判別するものである。より具体的には、画像処理判別部７０は、後述するデータ処理部１０が前記所定の時間経過後で前記電子メールサーバ３に対し電子メール受信要求を行う前に、画像形成部３０にて画像処理が行われているか否かを判別するものである。
【００２３】
必要に応じて備えられる記憶部８０は、前記電子メールサーバ３から電子メールを受信した時刻を履歴情報として記憶するものである。このような情報を記憶することにより、ディジタル複写機１が電子メールを受信する時間帯の傾向を把握することが可能となる。
電子メール受信要求部６０は、電子メールサーバ３から電子メールを受信するための電子メール受信要求を所定の時間間隔で行うように制御するものである。より具体的には、電子メール受信要求部６０は、設定された所定の時間間隔で、電子メールサーバ３から電子メールを受信するために、後述するデータ処理部１０が電子メール受信要求を行うように制御するものである。
【００２４】
この場合、前記所定の時間間隔は、予め設定されているものでもよいし、ユーザが所望の時間間隔を設定したものでもよい。また、時間間隔は「分」単位であってもよいし、「時間」単位であってもよく、特に限定されない。また、所定の時間間隔の代わりに、たとえば、○時や毎週○曜日の○時など予め設定された時刻であってもよい。なお、後述する操作入力部９０の動作に従ってその都度前記制御を行うようにしてもよい。また、この電子メール受信要求部６０の動作は、後述するデータ処理部１０に、その動作の一つとして行わせてもよい。
【００２５】
また後述するように、画像処理中は電子メールサーバ３に対し電子メール受信要求を行わず、画像処理が終了した後に電子メール受信要求を行う代わりに、電子メール受信要求部６０は、前記所定の時間間隔について、該間隔を変更して、該変更後の時間経過後に電子メール受信要求を行うように制御し、かつ、該電子メール受信要求が行われた後に、前記変更した時間間隔を変更前の時間間隔に再変更してもよい。
【００２６】
たとえば、当初設定された所定の時間間隔が１０分間隔であり、該１０分を経過することにより、後述するデータ処理部１０が電子メール受信要求を行うように制御した場合に、画像処理判別部７０により画像形成部３０にて画像処理が行われていると判別された場合は、電子メール受信要求の時間間隔を負荷軽減のためにたとえば２０分に変更して、前回の電子メール受信要求制御から２０分後、すなわち時間間隔の変更時点からは１０分後に、後述するデータ処理部１０が電子メール受信要求を行うように制御する。そして、時間間隔を変更した後で、電子メールサーバ３に対し電子メール受信要求が行われた場合に、該変更後の時間間隔を変更前の時間間隔に再変更する。
【００２７】
このような変更後の時間間隔については、たとえば、設定された所定の時間間隔の倍数となるようにしてもよいし、変更後の時間間隔を予め設定しておいてもよい。すなわち上述の例によれば、当初設定された所定の時間間隔である１０分の倍として、時間間隔を２０分とするようにしてもよいし、変更前の時間間隔にかかわらず変更後の時間間隔を２０分と予め設定しておいてもよい。なお、変更後の時間間隔については、その始期を上述のように前回の電子メール受信要求時点としてもよいが、時間間隔の変更時点としてもよい。
【００２８】
また、電子メール受信要求部６０は、前記所定の時間間隔について、所定の時刻になるとともに前記所定の時間間隔の間隔を変更し、該時間間隔で、後述するデータ処理部１０が電子メール受信要求を行うように制御することが好ましい。このように構成することで、たとえば毎朝８時になるとともに、この８時台の時間帯には前記所定の時間間隔を５分間隔として電子メール受信要求を行わせるようにし、そして該８時台を過ぎたときには、次回の電子メール受信要求を次の朝８時台に行わせるようにすることが可能となる。
【００２９】
また上述のように、所定の時刻になるとともに前記所定の時間間隔を変更する場合に、たとえば、ディジタル複写機１に前記記憶部８０を備えることにより、記憶部８０に記憶された履歴情報に基づいて、電子メール受信要求部６０は、受信頻度の高い時間帯と受信頻度の低い時間帯とで前記所定の時間間隔の間隔を変更し、該時間間隔で、後述するデータ処理部１０が電子メール受信要求を行うように制御してもよい。
【００３０】
たとえば、記憶部８０に記憶した電子メールの着信時刻の傾向から、毎朝８時頃の時間帯にはよく届き、それ以外の時間帯はごく稀であるような場合、たとえば毎朝８時の前後各３０分の時間帯は前記所定の時間間隔を５分間隔とし、この毎朝８時の前後各３０分以外の時間帯は前記所定の時間間隔を６０分間隔とすることが可能となる。なお、このような時間帯別の時間間隔は、ユーザの所望により設定されてもよい。
【００３１】
これにより、無駄に着信確認（電子メール受信要求）を行わずに済み、ディジタル複写機１への負荷を軽減することができる。
また、データ処理部１０は、電子メール受信要求部６０の動作に従って、電子メールサーバ３から電子メールを受信するための電子メール受信要求を電子メールサーバ３に対して行う。より具体的には、データ処理部１０は、電子メールサーバ３にアクセスし、たとえばディジタル複写機１に固有のシリアル番号（対象機ＩＤ情報）に対応する固有のフォルダをチェックするなどして、電子メールサーバ３にディジタル複写機１宛の電子メールがあれば、電子メールサーバ３にこの電子メールを送受信部５０へ送信させる。一方、電子メールサーバ３にディジタル複写機１宛の電子メールがない場合には、ディジタル複写機１宛の電子メールがない旨の回答を電子メールサーバ３から送受信部５０へ送信させることが好ましい。
【００３２】
データ処理部１０はまた、電子メールサーバ３から受信した電子メールを解析し、実行処理する。より具体的には、データ処理部１０は、送受信部５０が電子メールサーバ３から電子メール、たとえば、サービスマンの操作により、ディジタル複写機１の環境設定や実行プログラム等を更新する情報が入力された電子メールを受信したときに、この電子メールをデータ処理部１０に送らせ、データ処理部１０が受け取ったときにその内容を解析して、実行する。
【００３３】
データ処理部１０はまた、画像処理判別部７０によって画像形成部３０にて画像処理が行われていると判別された場合には、電子メール受信要求を行わないように制御する。よって、設定された所定の時間を経過しても、電子メール受信要求を行わないように制御する。
これにより、ディジタル複写機１には、画像処理中においては、外部装置３から電子メールを受信するために生じる負荷が発生することがないため、即時性を要する画像処理（たとえば複写処理）に影響を及ぼすことはない。
【００３４】
また、画像処理判別部７０によって画像形成部３０にて画像処理が行われていると判別された場合に、データ処理部１０は、好ましくは、画像処理が行われている間は電子メール受信要求を行わないように制御し、かつ、画像処理が終了した後に電子メール受信要求を行うように制御する。
これにより、たとえば、画像処理が行われていれば、前記設定された所定の時間を経過しても、電子メール受信要求を行わないように制御するため、画像処理中におけるディジタル複写機１に、電子メールを受信するための新たな負荷を与えることはない。
【００３５】
そして、画像処理が終了したときに、データ処理部１０が電子メールサーバ３に対し電子メール受信要求を行うよう制御するため、画像処理（複写処理）能力に影響を与えることなく電子メールを受信することができる。なお、画像処理が終了したきっかけを、たとえば前記画像処理判別部７０に画像処理が行われているか否かを常に監視させておくことで得ることで、画像処理の終了に合わせて、データ処理部１０が電子メールサーバ３に対し電子メール受信要求を行うようにすることができる。
【００３６】
また、データ処理部１０は、画像処理判別部７０によって画像形成部３０にて画像処理が行われていると判別された場合に、電子メールの解析、実行処理を行わないように制御する。
電子メールの解析、実行処理は、電子メールを受信したときに引き続き電子メール処理手段によりなされるため、このような構成とすることにより、画像処理中に電子メールサーバ３に対し電子メール受信要求が行われたとしても、電子メールを受信するに留めることができる。
【００３７】
よって、画像処理中に、受信した電子メールの解析、実行処理をするための新たな負荷が発生することがないので、画像処理に影響を与えることはない。
また、データ処理部１０は、画像処理判別部７０によって画像形成部３０にて画像処理が行われていると判別された場合に、該判別をしてから所定時間経過後に、再度画像処理判別部７０に、画像形成部３０にて画像処理が行われているか否かの判別を行わせるように制御する。
【００３８】
上述のように、画像処理中は電子メールの受信に留め、電子メールを受信したとしてもその解析や実行処理は行わないように制御した場合に、このように再度判別を行わせることで、画像処理の終了に合わせて効率的に電子メールの解析、実行処理を行うことができる。
この場合、再度の判別は、前回の判別から所定時間経過後に行わせるようにし、該所定の時間間隔は、予め設定されているものでもよいし、ユーザが所望の時間間隔を設定したものでもよい。また、時間間隔は「分」単位であってもよいし、「時間」単位であってもよく、特に限定されない。
【００３９】
操作入力部９０は、データ処理部１０におけるデータ処理操作に関する操作入力等を行う。なお、操作入力部９０は、たとえばディジタル複写機１に備えられたディスプレイ等の表示手段によるタッチパネル式のもので構成されていてもよい。
前記データ処理操作に関する操作入力として具体的には、
画像形成のための原稿を原稿読込部２０に読み込ませるための操作入力、
画像データに基づいて画像形成部３０においてどのように画像処理を行うかの設定入力、
電子メール受信要求部６０に所定の時間間隔で電子メール受信要求を行わせる場合の、所定の時間の設定入力、
前記所定の時間間隔の間隔が変更される場合の、変更後の時間の設定入力、
前記所定の時間間隔の間隔が所定の時刻になるとともに変更される場合の、所定時刻の設定入力、
などが挙げられる。
【００４０】
次に、ディジタル複写機１の動作例についての実施態様を図を用いて説明する。なお、各ステップにおける動作に関与する構成があるときは、当該構成に対応する符号を図１より適宜引用して示す。
まず、図２に示した実施態様では、ステップＳ１０では、設定された所定の時間の経過を待って、電子メール受信要求部６０の動作に従って、データ処理部１０が電子メール受信要求を行うように制御して、ステップＳ２０に進む。
【００４１】
ステップＳ２０では、データ処理部１０が、画像形成部３０にて画像処理が行われているか否かを画像処理判別部７０に判別させる。この判別結果がＮＯの場合、すなわち画像処理が行われていないと判別された場合には、ステップＳ３０に進む。判別結果がＹＥＳの場合、すなわち画像処理が行われていると判別された場合には、ステップＳ２５に進む。
【００４２】
ステップＳ２５では、データ処理部１０は、電子メールサーバ３に対し電子メール受信要求を行わないように制御するとともに、電子メール受信要求部６０に電子メール受信要求の時間間隔の間隔を変更させる。そして、変更後の時間の経過を待って、ステップＳ１０に戻ってデータ処理部１０が電子メール受信要求を行うように制御する。
【００４３】
ステップＳ３０では、電子メール受信要求部６０の動作に従って、データ処理部１０が電子メールサーバ３に対し電子メール受信要求を行い、電子メールサーバ３から電子メールを受信して、ステップＳ４０に進む。
ステップＳ４０では、データ処理部１０が受信した電子メールを解析し、実行処理して、その後終了となる。
【００４４】
図３に示した実施態様では、図２に示した実施態様と同様のステップについては図２と同じステップ番号を付してその詳細な説明は省略する。
ステップＳ３１０では、データ処理部１０が、画像形成部３０にて画像処理が行われているか否かを画像処理判別部７０に判別させる。この判別結果がＮＯの場合、すなわち画像処理が行われていないと判別された場合には、ステップＳ４０に進む。判別結果がＹＥＳの場合、すなわち画像処理が行われていると判別された場合には、ステップＳ３１２に進む。
【００４５】
ステップＳ３１２では、データ処理部１０は、電子メールの解析、実行処理を行わないように制御するとともに、所定の時間の経過を待って、ステップＳ３１０に戻って再度画像形成部３０にて画像処理が行われているか否かを画像処理判別部７０に判別させる。
以上本発明の一実施態様を説明したが、前記態様を、本発明の目的を逸脱しない範囲で適宜変更した構成も、本発明の範囲に属するものと理解される。
【００４６】
【発明の効果】
本発明によれば、メールの受信または受信したメールの解析および実行処理によって生じ、他のジョブの処理に影響を及ぼす負荷を軽減するディジタル複写機を提供することができる。
【図面の簡単な説明】
【図１】図１は、本発明に係るディジタル複写機の構成例を示すブロック図である。
【図２】図２は、本発明に係るディジタル複写機の動作例を示すフローチャートである。
【図３】図３は、本発明に係るディジタル複写機の他の動作例を示すフローチャートである。
【符号の説明】
１　ディジタル複写機
３　電子メールサーバ
５　外部装置
１０　データ処理部
２０　原稿読込部
３０　画像形成部
５０　送受信部
６０　電子メール受信要求部
７０　画像処理判別部
８０　記憶部
９０　操作入力部
【図１】
2004007207.tif 000003
【図２】
2004007207.tif 000004
【図３】
2004007207.tif 000005